Podtech/llm-jp-corpus-v4-ja_patent huggingface dataset:
【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
通信ネットワークを介しサーバークライアント関係により、複数のクライアントコンピューターに連結された競売のためのサーバーコンピュータにより実行されるオンライン競売方法において、
(a)  特定製品に対して開設された競売が存在するかどうかを判断する工程と；
(b)  開設された競売が存在しない場合、前記製品に対して新しい競売を開設する工程と；
(c)  前記開設された競売の使用者が、前記クライアントコンピューターを介して前記サーバーに対して現在価格の調査を要求した場合、現在価格の調査キャッシュ(present price inspection cash)の金額だけ、前記製品の現在価格を下落させるとともに、サーバーコンピューター上に下落価格あるいは現在価格の変動を表示し、このとき、現在価格分のキャッシュ(an amount of a present price cash)をキャッシュの提供者から差し引き、前記キャッシュ提供者についての前記減額を記録し、これにより、使用者が現在価格の調査を要求するにつれて前記製品の現在価格を連続的に下落させる工程と；
(d)  特定の現在価格について、最初の入札者を落札者に決定し、当該落札者のコンピュータ上で前記落札を表示し、前記特定の現在価格を落札価格と判断するとともに、当該競売を閉める工程と；
（e)  前記最初の入札者および新たな使用者の入札後、他の使用者に対して上記工程を反復し、これにより同じ製品についての前記競売が連続的に反復される工程を含み構成されたことを特徴とするオンライン競売方法。
【請求項２】
（ａ）前記競売製品に対するスポンサーが存在するかどうかを判断する工程と；
（ｂ）前記スポンサーが存在し、前記スポンサーのキャッシュが調査キャッシュより大きい場合、前記スポンサーを前記キャッシュ提供者であると判断する工程と；
（ｃ）前記スポンサーが存在しないかまたはスポンサーのキャッシュが調査キャッシュより少ない場合、前記現在価格の調査を要求した使用者を前記キャッシュ提供者であると判断する工程をさらに含むことを特徴とする、請求項１記載の前記オンライン競売サーバーにより実行されるオンライン競売方法。
【請求項３】
（ａ）特定製品に対して開設された競売が存在しない場合、該当競売の製品が残存しているかどうかを判断する工程と；
（ｂ）万一、前記製品が残存しない場合、競売終了を表示する工程をさらに含むことを特徴とする、請求項１または請求項２記載の前記オンライン競売サーバーにより実行されるオンライン競売方法。
【請求項４】
（ａ）前記製品の前記残存数量にしたがって割引が可能かどうかを判断する工程と；
（ｂ）万一、割引が可能な場合その割引価格を演算する工程と；
（ｃ）前記割引された価格を、開設される競売の開始価格にする工程を含むことを特徴とする、請求項３記載の前記オンライン競売サーバーにより実行されるオンライン競売方法。
【請求項５】
（ａ）使用者が前記クライアントコンピューターにより入力する予約価格と予約条件を前記サーバーに記録する工程と；
（ｂ）現在進行中の競売が前記予約条件に該当するかどうかを判断して、前記予約条件に該当する場合、前記現在価格と予約価格を比較して予約価格が現在価格より高い場合、その予約者を落札者に決定して該当競売を閉める工程をさらに含むことを特徴とする、請求項１記載の前記オンライン競売サーバーにより実行されるオンライン競売方法。
【請求項６】
同一の予約条件を有する多数の予約者がいる場合、最高の予約金額及び最初の予約者を対象にしてその予約価格と前記進行中の競売の現在価格と比較することを特徴とする請求項５記載の前記オンライン競売サーバーにより実行されるオンライン競売方法。
【請求項７】
前記工程（ｃ）は、開設された競売の使用者が以前の競売の流札者かどうかを判断する工程をさらに有し、そのような場合、調査キャッシュを直接差し引き、差し引き額を記録することを特徴とする、請求項１記載の前記オンライン競売サーバーにより実行されるオンライン競売方法。
【請求項８】
（ａ）現在価格が０以下かどうかを判断する工程と；
（b ）前記現在価格を０より小さくするよう調査要求をした入札者を落札者に決定する工程をさらに含むことを特徴とする、請求項１記載の前記オンライン競売サーバーにより実行されるオンライン競売方法。
【請求項９】
使用者のクライアンコンピューター上に、以前の競売の落札価格の履歴を表示する工程をさらに含むことを特徴とする、請求項１記載の前記オンライン競売サーバーにより実行されるオンライン競売方法。
【請求項１０】
前記競売が、特定製品に対して特定購入単位別に開設されることを特徴とする、請求項１記載の前記オンライン競売サーバーにより実行されるオンライン競売方法。
【請求項１１】
通信ネットワークを介しサーバークライアント関係によりクライアントコンピューターと連結するオンライン競売サーバーであって、当該サーバーは、ある競売が完了し、同じ製品について全てのオークションの完了した後、新しい競売を開設する方法により、同じ製品について独立した競売を連続的して反復し、かかるサーバーは、
（ａ）前記独立した競売を実行する独立競売実行手段であって、
(a1) 特定製品に対して開設された競売が存在するかどうかを判断する手段と、
(a2)  万一、開設された競売が存在しない場合、前記製品に対して新しい競売を開設する手段と、
(a3)  前記開設された競売の使用者が、前記クライアントコンピューターを介して前記サーバーに対して現在価格の調査を要求した場合、現在価格調査キャッシュの金額だけ、前記製品の現在価格を下落させるとともに、使用者のコンピューター上に下落価格あるいは現在価格の変動を表示し、現在価格キャッシュをキャッシュ提供者から差し引き、前記キャッシュ提供者についての前記減額を記録し、これにより、使用者が現在価格の調査を要求するにつれて前記製品の現在価格を連続的に下落させる手段と、
(a4)  特定の現在価格について、最初の入札者を落札者に決定し、当該落札者のコンピュータ上で前記落札を表示し、前記特定の現在価格を落札価格と判断するとともに、当該競売を閉める手段とを含み、ならびに
（ｂ）最初の入札者および新規入札者の入札後、他の入札者のために前記独立競売実行手段を反復して実行する前記独立競売反復手段を備えたことを特徴とするオンライン競売サーバー。
【請求項１２】
現在価格の調査キャッシュを別々に設定することにより、同一製品についての前記現在価格の調査キャッシュを別々に表示する工程をさらに含むことを特徴とする、請求項１記載の前記オンライン競売サーバーにより実行されるオンライン競売方法。
【請求項１３】
前記サーバーは、電話ネットワークを介して使用者の電話と連結されるコールセンターと連結され、競売にかかる製品の情報が音声によって知らされ、競売手続きは、電話のボタンを押すことにより処理されることを特徴とする請求項１１記載の前記オンライン競売サーバーにより実行されるオンライン競売方法。
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
標的分子を、標的分子と相互作用することができる固体支持体表面に固定する方法であって：
標的分子と、標的分子と解離可能な複合体を形成することができる小胞構造との複合体を形成する工程、
形成された複合体と、固体支持体表面とを接触させ、標的分子を固体支持体表面に結合させる工程、
複合体を解離する工程、および
固体支持体表面から小胞構造を除去し、固体支持体表面に固定された標的分子を切り離す工程、
を含む、上記方法。
【請求項２】
小胞構造は、リポソームまたはミセルであり、好ましくはミセルである、請求項１に記載の方法。
【請求項３】
標的分子と小胞構造とは、対立する電荷を有する、請求項１または２に記載の方法。
【請求項４】
標的分子と固体支持体表面とは、同種の電荷を有する、請求項１〜３のいずれか一項に記載の方法。
【請求項５】
標的分子は、負電荷を有する、請求項１〜４のいずれか一項に記載の方法。
【請求項６】
標的分子と固体支持体表面とはそれぞれ負電荷を有し、小胞構造は、正電荷を有する、請求項１〜５のいずれか一項に記載の方法。
【請求項７】
標的分子は、分析物を結合させることができるリガンドである、請求項１〜６のいずれか一項に記載の方法。
【請求項８】
標的分子は、リガンドまたはリガンド結合物質を結合させることができるキャプチャー物質である、請求項１〜６のいずれか一項に記載の方法。
【請求項９】
標的分子は、核酸または抗体であり、好ましくはオリゴヌクレオチドである、請求項１〜８のいずれか一項に記載の方法。
【請求項１０】
標的分子は、人工核酸であり、好ましくは人工オリゴヌクレオチドである、請求項９に記載の方法。
【請求項１１】
標的分子は、低分子量の有機化合物である、請求項１〜８のいずれか一項に記載の方法。
【請求項１２】
固体支持体表面は、標的分子の官能基と反応して共有結合を形成することができる反応性基を含む、請求項１〜１１のいずれか一項に記載の方法。
【請求項１３】
固体支持体表面は、特定の結合対の一方の要素を含み、その結合対の他方の要素は、標的分子またはその一部と共役している、請求項１〜１１のいずれか一項に記載の方法。
【請求項１４】
表面に結合した要素は、アビジンまたはストレプトアビジンであり、そして標的分子は、ビオチンタグを付されている、請求項１３に記載の方法。
【請求項１５】
固体支持体表面は、ヒドロゲル、好ましくはデキストランベースのヒドロゲルを含む、請求項１〜１４のいずれか一項に記載の方法。
【請求項１６】
デキストランは、カルボキシメチル基を含む、請求項１５に記載の方法。
【請求項１７】
カルボキシメチル基が、活性化されて反応性基になる、請求項１６に記載の方法。
【請求項１８】
ミセルまたはリポソームに対する標的分子の割合は、約１：１である、請求項１〜１７のいずれか一項に記載の方法。
【請求項１９】
小胞構造は、臭化セチルトリメチルアンモニウム（ＣＴＡＢ）を含むミセルである、請求項１〜１８のいずれか一項に記載の方法。
【請求項２０】
フローセルで行われる、請求項１〜１９のいずれか一項に記載の方法。
【請求項２１】
固体支持体は、センサー表面である、請求項１〜２０のいずれか一項に記載の方法。
【請求項２２】
センサー表面は、質量センシングによる、好ましくはエバネッセント波に基づいた（例えばＳＰＲ）、センサー表面における事象の検出が可能である、請求項２１に記載の方法。
【請求項２３】
固体支持体は、クロマトグラフィー用の粒子である、請求項１〜２０のいずれか一項に記載の方法。
【請求項２４】
請求項１〜２３のいずれか一項に記載の方法に従ってリガンドを結合させることができるキャプチャー物質を表面に固定すること、続いて、該表面と該リガンドとを接触させ、該リガンドを固定された該キャプチャー物質に結合させることを含む、固体支持体表面をリガンドでセンシタイズする方法。
【請求項２５】
キャプチャー物質はオリゴヌクレオチドであり、リガンドは、キャプチャーオリゴヌクレオチドに相補的なオリゴヌクレオチドと共役している、請求項２４に記載の方法。
【請求項２６】
一般的なキャプチャー物質を支持している固体支持体表面の異なる別々のエリアを、選択的に異なるリガンドと接触させ、異なるリガンドのアレイを固体支持体表面に提供する、請求項２４または２５に記載の方法。
【請求項２７】
異なるキャプチャー物質をそれぞれ支持している固体支持体表面の異なる別々のエリアを、異なるリガンドと接触させ、異なるリガンドのアレイを固体支持体表面に提供する、請求項２４または２５に記載の方法。
【請求項２８】
固体支持体表面は、センサー表面である、請求項２４〜２７のいずれか一項に記載の方法。
【請求項２９】
請求項２４〜２８のいずれか一項に記載の方法で製造された固体支持体表面（好ましくはセンサー表面）上で少なくとも１種のリガンドに結合することができる少なくとも１種の分析物に関してサンプルを分析するための、前記固体支持体表面の使用。
【請求項３０】
請求項２４〜２８のいずれか一項に記載の方法で製造された固体支持体表面（好ましくはセンサー表面）上での、少なくとも１種の分析物と少なくとも１種のリガンドとの相互作用を研究するための、前記固体支持体表面の使用。
【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
哺乳類での虚血性腎障害および腎毒性障害を含む腎尿細管細胞障害を検出するための方法であって、
（１）哺乳類の被検体から尿試料を得るステップ；
（２）前記尿試料とＮＧＡＬ（好中球ゼラチナーゼ関連リポカリン）を含む腎尿細管細胞障害バイオマーカーに対する抗体とを接触させて、前記抗体と前記バイオマーカーとの複合体を形成させるステップ；そして
（３）前記抗体−バイオマーカー複合体を検出するステップ
を含んでなる、方法。
【請求項２】
前記被検体から断続的に複数の尿試料を得る、請求項１に記載の方法。
【請求項３】
前記尿試料が連続的に得られる、請求項２に記載の方法。
【請求項４】
前記抗体−バイオマーカー複合体を検出するステップが、前記複合体と前記バイオマーカーを検出するための第２の抗体とを接触させることを含む、請求項１に記載の方法。
【請求項５】
前記哺乳類被験体がヒト患者である、請求項１に記載の方法。
【請求項６】
腎尿細管細胞障害に対する処置の効果を観察する方法であって、
（１）腎尿細管細胞障害に罹った哺乳類被験体に対して処置をおこなうステップ；
（２）前記被験体から少なくとも１つの処置後の尿試料を得るステップ；そして
（３）前記処置後の尿試料でのＮＧＡＬを含む前記腎尿細管細胞障害バイオマーカーの存在を検出するステップ
を含んでなる、方法。
【請求項７】
後続の処置後の尿試料を１個以上得るステップをさらに有し、前記後続の処置後の尿試料に前記バイオマイーカーの存在が検出されなくなるまで、前記処置をおこなうステップが続けられる、請求項６に記載の方法。
【請求項８】
前記検出するステップが、
（ｉ）前記尿試料と前記バイオマーカーに対する捕捉抗体とを接触させて、前記抗体と前記バイオマーカーとの複合体を形成させるステップ；そして
（ｉｉ）前記抗体−バイオマーカー複合体を検出するステップ
を含んでなる、請求項６に記載の方法。
【請求項９】
前記抗体−バイオマーカー複合体を検出するステップが、
（１）前記捕獲抗体−バイオマーカー複合体から、前記尿試料の任意の未結合物質を分離するステップ；
（２）前記捕獲抗体−バイオマーカー複合体と前記バイオマーカーを検出するための第２の抗体とを接触させて、前記バイオマーカーと前記第２の抗体との間の複合体を形成させるステップ；
（３）前記バイオマーカー−第２の抗体複合体から、任意の未結合の第２の抗体を分離するステップ；そして
（４）前記バイオマーカー−第２の抗体複合体の前記第２の抗体を検出するステップ
を含んでなる、請求項８に記載の方法。
【請求項１０】
前記ステップ（ｉ）が尿試料と前記第１の抗体が加えられた培地とを接触させるステップを含んでなる、請求項９に記載の方法。
【請求項１１】
虚血性腎障害および腎毒性障害を含む腎尿細管細胞障害に対する即時型または早発型のバイオマーカーの存在を被検体の尿液体中で検出するのに用いられるキットであって、
（１）一定量の尿試料を取得する手段；
（２）腎尿細管細胞障害に対するバイオマーカーと複合体を形成することが可能な捕捉抗体が加えられ、該バイオマーカーがＮＧＡＬを含む培地；
（３）前記バイオマーカーと前記捕獲抗体との複合体を検出するためのアッセイ
を含んでなる、キット。
【請求項１２】
前記尿試料の量が１ｍｌ未満、より一般的には１０μｌ未満である、請求項１１に記載のキット。
【請求項１３】
前記取得手段が、表面を有する装置を含み、該表面が前記培地を含む、請求項１１に記載のキット。
【請求項１４】
前記取得手段が、前記尿試料を受け取るための容器を含み、前記容器の尿接触面が培地を含む、請求項１１に記載のキット。
【請求項１５】
前記アッセイがＥＬＩＳＡを含む、請求項１１に記載のキット。
【請求項１６】
前記取得手段が、前記培地を含むカセットを有する装置を含んでなる、請求項１１に記載のキット。
【請求項１７】
ポイント・オブ・ケア・キットである、請求項１１に記載のキット。
【請求項１８】
前記尿試料の量が１ｍｌ未満、より一般的には１０μｌ未満である、請求項１７に記載のポイント・オブ・ケア・キット。
【請求項１９】
前記取得手段が、ディップスティックを有する装置を含み、該ディップスティックの表面が前記培地を含む、請求項１８に記載のポイント・オブ・ケア・キット。
【請求項２０】
前記アッセイが、比色ディップスティック・アッセイを含んでなる、請求項１８に記載のポイント・オブ・ケア・キット。
【請求項２１】
哺乳類の被検体の虚血性腎障害および腎毒性障害を含む腎尿細管細胞障害の状態を測定するための競合的酵素結合免疫吸着アッセイ（ＥＬＩＳＡ）であって、前記被検体の尿試料中でのＮＧＡＬの存在を検出するための、前記ＮＧＡＬに特異的な第１の抗体を含む、キット。
【請求項２２】
前記尿試料の液量を約１ｍｌ以下とすることができる、請求項２１に記載のＥＬＩＳＡキット。
【請求項２３】
事象によって引き起こされる虚血性腎障害および腎毒性障害を含む腎尿細管細胞障害の程度を特定するための方法であって、
（１）哺乳類の被験体から少なくとも１個の尿試料を得るステップ；
（２）前記尿試料中のＮＧＡＬを含む腎尿細管細胞障害バイオマーカーの存在を検出するステップ；
（３）前記事象の時間に比例して、前記尿試料中の前記バイオマーカーの存在が発現される時間に基づいて、前記尿細管細胞傷害の程度を決定するステップ
を含んでなる、方法。
【請求項２４】
前記事象が外科的処置である、請求項２３に記載の方法。
【請求項２５】
前記事象が、腎臓への血液供給減少、心機能障害、外科的処置、集中治療室の患者、および前記被検体に対する医薬品、造影剤、または他の医薬物質の投与である、請求項２３に記載の方法。
【請求項２６】
哺乳類での虚血性腎障害および腎毒性障害を含む腎尿細管細胞障害を検出するための方法であって、
（１）哺乳類の被検体から１ｍｌ以下の第１の尿を含む尿試料を得るステップ；
（２）前記尿試料とＮＧＡＬを含む腎尿細管細胞障害バイオマーカーに対する抗体とを接触させて、前記抗体と前記バイオマーカーとの複合体を形成させるステップ；そして
（３）前記抗体−バイオマーカー複合体を検出するステップと、
を含んでなる、方法。
【手続補正書】
【提出日】平成19年1月11日(2007.1.11)
【手続補正１】
【補正対象書類名】明細書
【補正対象項目名】特許請求の範囲
【補正方法】変更
【補正の内容】
【特許請求の範囲】
【請求項１】  焼結炭化物合金体及びコーティングを有する、鋼及びステンレス鋼の分割のための切断工具インサートであって、前記焼結炭化物合金体が、ＷＣ、６〜１５ｗｔ％のＣｏ、及び０．２〜１．８ｗｔ％のＴｉ、Ｔａ及び／又はＮｂの立方晶炭化物からなり、Ｗで高度に合金化されたバインダー相のＣＷ比が０．７８〜０．９３であり、前記コーティングが、
ＴｉＣxＮyＯzの第１（最も内側）の層、ｘ＋ｙ＋ｚ＝１、厚さは０．１〜１．５μｍ、大きさが０．５μｍ未満の等軸粒子、
ＴｉＣxＮyＯzの層、ｘ＋ｙ＋ｚ＝１、厚さは０．４〜３．９μｍ、平均直径が０．１〜５μｍの筒状粒子、
滑らかで粒子サイズが０．５〜２μｍの粒子のκ−Ａｌ2Ｏ3の外側層、厚さは０．５〜５．５μｍ、
を含み、
最も内側のＴｉＣxＮyＯz層及び筒状のＴｉＣxＮyＯzの層の合計の厚さは、０．５〜４μｍであり、
全ての層の合計の厚さが、２．０〜６．０μｍである、
ことを特徴とする、焼結炭化物合金体及びコーティングを有する切断工具インサート。
【請求項２】  最も外側の層が薄い０．１〜１μｍのＴｉＮ層であることを特徴とする、請求項１に記載の切断インサート。
【請求項３】  前記最も外側ＴｉＮ層が切刃に沿って除去されている、請求項２に記載の切断インサート。
【請求項４】  焼結炭化物合金体及びコーティングを有する旋削のためのインサートの製造方法であって、
ＣＷ比が０．７８〜０．９３の高度にＷで合金化されたバインダー相を有するＷＣ−Ｃｏに基づく焼結炭化物合金体を、
ＴｉＣxＮyＯzの第１（最も内側）の層、ｘ＋ｙ＋ｚ＝１、厚さは０．１〜１．５μｍ、大きさが０．５μｍ未満の等軸粒子を伴う、既知のＣＶＤ法を使用、
ＴｉＣxＮyＯzの層、ｘ＋ｙ＋ｚ＝１、厚さは０．４〜３．９μｍ、平均直径が０．１〜５μｍの筒状粒子を伴う、ＭＴＣＶＤ技術によって堆積、炭素及び窒素源としてアセトニトリルを使用して製造、
滑らかなκ−Ａｌ2Ｏ3の層、厚さは０．５〜５．５μｍ、
でコーティングし、
最も内側のＴｉＣxＮyＯzの層及び筒状のＴｉＣxＮyＯzの層の合計の厚さが、０．５〜４μｍであり、
全ての層の合計の厚さが、２．０〜６．０μｍである、
ことを特徴とする、焼結炭化物合金体及びコーティングを有する旋削のためのインサートの製造方法。
【請求項５】  前記焼結炭化物合金体のコバルトの含有率が９〜１２ｗｔ％、Ｔａ及びＮｂの立方晶炭化物の含有率が０．４〜１．８ｗｔ％であることを特徴とする、請求項４に記載の方法。
【請求項６】  前記焼結炭化物合金体のコバルト含有率が１０〜１１ｗｔ％であることを特徴とする、請求項４又は５に記載の方法。
【請求項７】  ＣＷ比が０．８２〜０．９０であることを特徴とする、請求項４、５及び６のいずれかに記載の方法。
【請求項８】  存在する場合の最も外側のＴｉＮ層を切刃に沿って除去することを特徴とする、請求項４、５、６及び７のいずれかに記載の方法。
【手続補正２】
【補正対象書類名】明細書
【補正対象項目名】００１１
【補正方法】変更
【補正の内容】
【００１１】
コーティングは以下の層を含む：
Ａ．  ＴｉＣxＮyＯzの第１（最も内側）の層、ｘ＋ｙ＋ｚ＝１、好ましくはｙ＞ｘ及びｚ＜０．２、最も好ましくはｙ＞０．８及びｚ＝０、等軸粒子（ｅｑｕｉａｘｅｄ  ｇｒａｉｎ）の大きさは０．５μｍ未満、全体の厚さは１．５μｍ未満で０．１μｍ超、好ましくは０．１〜０．６μｍ。
【手続補正３】
【補正対象書類名】明細書
【補正対象項目名】００１７
【補正方法】変更
【補正の内容】
【００１７】
Ａ．  ＴｉＣxＮyＯzの第１（最も内側）の層、ｘ＋ｙ＋ｚ＝１、好ましくはｙ＞ｘ及びｚ＜０．２、最も好ましくはｙ＞０．８及びｚ＝０、等軸粒子の大きさは０．５μｍ未満、全体の厚さは１．５μｍ未満で好ましくは０．１μｍ超、好ましくは０．１〜０．６μｍ、既知のＣＶＤ法を使用。
【手続補正書】
【提出日】平成19年3月30日(2007.3.30)
【手続補正１】
【補正対象書類名】明細書
【補正対象項目名】特許請求の範囲
【補正方法】変更
【補正の内容】
【特許請求の範囲】
【請求項１】タンパク質のアレイであって、以下：
（ａ）基板；及び
（ｂ）前記基板上で別個の既知の領域に配置された複数のパッチであって、
前記パッチの各々が既知の配列をもつ固定されたタンパク質を含み、
少なくとも１０個の異なるタンパク質が複数のパッチの少なくとも１０個の異なるパッチ上に固定されており、
アレイが１ｃｍ２の領域内に１００又はそれ以上のタンパク質パッチを含み、そして
タンパク質は機能的に関連するか若しくは機能的に関連することが疑われている、構造的に関連するか若しくは構造的に関連することが疑われている、又は同じタンパク質ファミリーのメンバーである、パッチ、
を包含するアレイ。
【請求項２】前記タンパク質は同じファミリーのメンバーである、請求項１に記載のアレイ。
【請求項３】請求項１に記載のアレイであって、前記タンパク質が増殖因子レセプター、カテコールアミンレセプター、アミノ酸誘導体レセプター、サイトカインレセプター、細胞外マトリックスレセプター、免疫グロブリン、レクチン、サイトカイン、セルピン、プロテアーゼ、キナーゼ、ホスファターゼ、ｒａｓ様ＧＴＰａｓｅ、ヒドロラーゼ、ステロイドホルモンレセプター、熱ショック転写因子、ジンクフィンガータンパク質、ロイシンジッパータンパク質、ホメオドメインタンパク質、Ｃ型肝炎ウイルス（ＨＣＶ）プロテアーゼ、並びにＨＩＶプロテアーゼからなる群から選択される、アレイ。
【請求項４】少なくとも１００個の異なるタンパク質が複数のパッチの少なくとも１００個の異なるパッチ上に存在する、請求項１から３のいずれか一に記載のアレイ。
【請求項５】少なくとも１０００個の異なるタンパク質が複数のパッチの少なくとも１０００個の異なるパッチ上に存在する、請求項１から４のいずれか一に記載のアレイ。
【請求項６】タンパク質は同じレセプターファミリー、リガンドファミリー、酵素ファミリー、又は転写因子ファミリーのメンバーである、請求項１に記載のアレイ。
【請求項７】タンパク質は増殖因子レセプター、カテコールアミンレセプター、アミノ酸誘導体レセプター、サイトカインレセプター、又はレクチンである、請求項１に記載のアレイ。
【請求項８】タンパク質はサイトカイン又はセルピンである、請求項１に記載のアレイ。
【請求項９】タンパク質はプロテアーゼ、キナーゼ、ホスファターゼ、ｒａｓ様ＧＴＰａｓｅ、又はヒドロラーゼである、請求項１に記載のアレイ。
【請求項１０】タンパク質はステロイドホルモンレセプター、熱ショック転写因子、ジンクフィンガータンパク質、ロイシンジッパータンパク質、又はホメオドメインタンパク質である、請求項１に記載のアレイ。
【請求項１１】タンパク質はウィルスプロテアーゼである、請求項１に記載のアレイ。
【請求項１２】タンパク質はＨＩＶプロテアーゼ又はＣ型肝炎ウィルスプロテアーゼである、請求項１に記載のアレイ。
【請求項１３】タンパク質はキナーゼである、請求項１に記載のアレイ。
【請求項１４】タンパク質は哺乳動物タンパク質である、請求項１に記載のアレイ。
【請求項１５】タンパク質は組換えタンパク質である、請求項１に記載のアレイ。
【請求項１６】タンパク質は機能的なタンパク質である、請求項１に記載のアレイ。
【請求項１７】少なくとも１０個の異なるタンパク質は少なくとも１０００個の異なるタンパク質を包含する請求項１から１６のいずれか一に記載のアレイ。
【請求項１８】タンパク質は融合タンパク質である、請求項１に記載のアレイ。
【請求項１９】請求項１から１８のいずれか一に記載のアレイを形成するための方法であって、
基板を得ること、及び
基板上に複数のパッチを形成すること、
を包含する方法。
【請求項２０】請求項１から１８のいずれか一に記載のアレイを使用するための方法であって、
アッセイされる少なくとも１つのタンパク質を含むサンプルをアレイに結合させるために送達する工程、及び
各パッチに保持された該サンプルからの該タンパク質の存在又は量について、直接的に又は間接的に検出する工程、
を包含する方法。
【請求項２１】少なくとも１０個の異なるタンパク質は、少なくとも１０００個の異なるタンパク質を包含する、請求項１９又は２０のいずれかに記載の方法。
【請求項２２】タンパク質は並行して発現されたものである、請求項１９から２１のいずれか一に記載の方法。
【請求項２３】タンパク質はインビボ翻訳を使用して発現されたものである、請求項１９から２１のいずれか一に記載の方法。
【請求項２４】タンパク質は組換え技術を使用して発現されたものである、請求項１９から２１のいずれか一に記載の方法。
【請求項２５】タンパク質は組換え融合タンパク質である、請求項１９から２１のいずれか一に記載の方法。
【手続補正書】
【提出日】平成19年3月30日(2007.3.30)
【手続補正１】
【補正対象書類名】明細書
【補正対象項目名】特許請求の範囲
【補正方法】変更
【補正の内容】
【特許請求の範囲】
【請求項１】スクリーニングの方法であって、
成分を含む流体サンプルを、少なくとも１０個のタンパク質を含む複数のタンパク質を含んだタンパク質アレイに送達することを包含し、該タンパク質アレイは基板上の異なる別個の既知領域に各々固定された複数のタンパク質を含み、該別個の既知領域は少なくとも１００個／ｃｍ２の密度で存在し、該タンパク質は機能的に関連するか若しくは機能的に関連していると疑われている、構造的に関連するか若しくは構造的に関連すると疑われている、又は同じタンパク質ファミリーのメンバーである、スクリーニング方法。
【請求項２】タンパク質は組換えタンパク質である、請求項１に記載の方法。
【請求項３】タンパク質は機能的なタンパク質である、請求項１に記載の方法。
【請求項４】方法はさらに酵素／基質の相互作用を検出することを包含する、請求項２又は３に記載の方法。
【請求項５】方法はさらに酵素／基質の相互作用の産物を検出することを包含する、請求項４に記載の方法。
【請求項６】タンパク質は酵素ファミリーのメンバーである、請求項１に記載の方法。
【請求項７】酵素はキナーゼである、請求項６に記載の方法。
【請求項８】成分はタンパク質であり、かつ方法はタンパク質−タンパク質相互作用を検出する、請求項１から７のいずれか一に記載の方法。
【請求項９】成分は発現産物である、請求項１に記載の方法。
【請求項１０】複数のタンパク質は、少なくとも１００個の異なるタンパク質を包含する、請求項１から９のいずれか一に記載の方法。
【請求項１１】複数のタンパク質は、少なくとも１０００個の異なるタンパク質を包含する、請求項１から１０のいずれか一に記載の方法。
【請求項１２】タンパク質は同じレセプターファミリー、リガンドファミリー、酵素ファミリー、又は転写因子ファミリーのメンバーである、請求項１から１１のいずれか一に記載の方法。
【請求項１３】タンパク質は成長因子レセプター、カテコールアミンレセプター、アミノ酸誘導体レセプター、サイトカインレセプター、又はレクチンである、請求項１から１２のいずれか一に記載の方法。
【請求項１４】タンパク質はサイトカイン又はセルピンである、請求項１に記載の方法。
【請求項１５】タンパク質はプロテアーゼ、キナーゼ、ホスファターゼ、ｒａｓ様ＧＴＰアーゼ、又は加水分解酵素である、請求項１に記載の方法。
【請求項１６】 タンパク質はステロイドホルモンレセプター、熱ショック転写因子、ジンクフィンガータンパク質、ロイシンジッパータンパク質、又はホメオドメインタンパク質である、請求項１に記載の方法。
【請求項１７】タンパク質はウィルスプロテアーゼである、請求項１に記載の方法。
【請求項１８】タンパク質はＨＩＶプロテアーゼ又はＣ型肝炎ウィルスプロテアーゼである、請求項１に記載の方法。
【請求項１９】タンパク質はキナーゼである、請求項１に記載の方法。
【請求項２０】タンパク質は機能的なタンパク質である、請求項１に記載の方法。
【請求項２１】タンパク質は哺乳動物タンパク質である、請求項１に記載の方法。
【請求項２２】タンパク質はヒトタンパク質である、請求項１に記載の方法。
【請求項２３】複数のタンパク質は捕捉剤を包含する、請求項１に記載の方法。
【手続補正書】
【提出日】平成19年7月10日(2007.7.10)
【手続補正１】
【補正対象書類名】明細書
【補正対象項目名】特許請求の範囲
【補正方法】変更
【補正の内容】
【特許請求の範囲】
【請求項１】  膀胱領域の放射線療法によって引き起こされる膀胱炎の予防に用いられる薬剤の調製のための組成物の使用であって、前記薬剤の使用が膀胱領域の放射線療法治療前に行われ、前記組成物が、少なくとも２×１０５ダルトンの平均分子量を有するＨＡと薬学的に許容可能なキャリアとを含む、使用。
【請求項２】  ＨＡの分子量範囲が、約２×１０５〜約３．１×１０６ダルトンである、請求項１に記載の使用。
【請求項３】  ＨＡの量が約５ｍｇ〜約１０００ｍｇである、請求項１または２に記載の使用。
【請求項４】  薬学的に許容可能なキャリアが、約１０ｍｌ〜約５００ｍｌの組成物である、請求項１〜３のいずれかに記載の使用。
【請求項５】  放射線療法治療前の使用が、放射線療法治療前約１分〜約４時間である請求項１に記載の使用。
【請求項６】  組成物の使用が、放射線療法治療前約１分〜約４時間の間、組成物が膀胱に留まるためである、請求項５に記載の使用。
【請求項７】  膀胱領域への放射線が、膀胱癌、前立腺癌、直腸癌、子宮癌、および子宮頸癌からなる群から選択される癌の放射線療法治療のためのものである、請求項１〜６のいずれかに記載の使用。
【請求項８】  膀胱領域への放射線が、前立腺癌の放射線療法治療のためのものである、請求項７に記載の使用。
【請求項９】  膀胱領域の放射線療法によって引き起こされる膀胱炎の軽減に用いられる薬剤の調製のための組成物の使用であって、前記薬剤の使用が膀胱領域の放射線療法治療前に行われ、前記組成物が、少なくとも２×１０５ダルトンの平均分子量を有するＨＡと薬学的に許容可能なキャリアとを含む、使用。
【請求項１０】  ＨＡの分子量範囲が、約２×１０５〜約３．１×１０６ダルトンである、請求項９に記載の使用。
【請求項１１】  ＨＡの量が約５ｍｇ〜約１０００ｍｇである、請求項９または１０に記載の使用。
【請求項１２】  薬学的に許容可能なキャリアが、約１０ｍｌ〜約５００ｍｌの組成物である、請求項９〜１１のいずれかに記載の使用。
【請求項１３】  放射線療法治療前の使用が、放射線療法治療前約１分〜約４時間である請求項９〜１２のいずれかに記載の使用。
【請求項１４】  組成物の使用が、放射線療法治療前約１分〜約４時間の間、組成物が膀胱に留まるためである、請求項１３に記載の使用。
【請求項１５】  膀胱領域への放射線が、膀胱癌、前立腺癌、直腸癌、子宮癌、および子宮頸癌からなる群から選択される癌の放射線療法治療のためのものである、請求項９〜１４のいずれかに記載の使用。
【請求項１６】  膀胱領域への放射線が、前立腺癌の放射線療法治療のためのものである、請求項１５に記載の使用。
【手続補正書】
【提出日】平成18年10月19日(2006.10.19)
【手続補正１】
【補正対象書類名】明細書
【補正対象項目名】特許請求の範囲
【補正方法】変更
【補正の内容】
【特許請求の範囲】
【請求項１】
現在のテープ転送速度にて回転ドラムに沿って転送されている磁気テープ上に可変速度にてデータを記録するための方法であって、前記回転ドラムは前記ドラムの回転に際し前記テープを通過するように配置された記録ヘッドを有し、前記データはホスト装置から受信されてデータバッファに一時的に格納される方法において、
前記データバッファに現在あるデータ量を示す現在のバッファレベルを監視すること；
前記現在のバッファレベルに基づいて新たなテープ転送速度を決定すること；
前記現在のテープ転送速度において、前記磁気テープ上に第一の所定数のダミートラックを書込むこと；
前記現在のテープ転送速度を前記新たなテープ転送速度に調整すること；及び
前記第一の所定数のダミートラックの書込み直後に、前記新たなテープ転送速度で、前記磁気テープ上に第二の所定数のダミートラックを書込むこと
を含み、前記現在のテープ転送速度と前記新たなテープ転送速度がそれぞれ０でなく、互いに異なることを特徴とする方法。
【請求項２】
請求項１記載の方法において、
前記第二の所定数のダミートラックの書込み直後に、前記新たなテープ転送速度にて第二データトラックを前記磁気テープ上に記録することを含む方法。
【請求項３】
請求項２記載の方法において、
前記第一の所定数のダミートラックの書込み直前に、前記新たなテープ転送速度にて第一データトラックを前記磁気テープ上に記録することを含む方法。
【請求項４】
請求項２記載の方法において、
前記現在のテープ転送速度を計測すること；
前記現在のテープ転送速度が速度制御限界の外かどうかを決定すること；及び
前記現在のテープ転送速度が速度制御限界の外である場合、前記新たなテープ転送速度を速度制御限界内に設定するステップ；前記現在のテープ転送速度を速度制御限界内に調整するステップ；及び前記新たなテープ転送速度で前記トラックを前記磁気テープに再記録するステップを実行すること
を含んでいる方法。
【請求項５】
請求項２記載の方法において、
前記記録済み第二データトラックとその直前に記録されたトラックとの間の距離から成るトラックピッチを計測すること；
前記トラックピッチがトラックピッチ制御限界の外にあるかどうかを決定すること；及び
前記トラックピッチが前記トラックピッチ制御限界の外にある場合、前記新たなテープ転送速度を、次に計測されるトラックピッチを前記トラックピッチ制御限界内に置くような速度に設定するステップ；前記現在のテープ転送速度を前記新たなテープ転送速度に調整するステップ；及び前記トラックを前記磁気テープに前記新たなテープ転送速度で再記録するステップを実行すること
を含んでいる方法。
【請求項６】
請求項２記載の方法において、
前記記録済み第二トラックが前記磁気テープに記録された直後に前記新たなテープ転送速度で前記記録済み第二トラックを読込むことを含んでいる方法。
【請求項７】
請求項６記載の方法において、前記記録済み第二トラックが読取不能な場合、前記第二トラックを再記録することを含んでいる方法。
【請求項８】
請求項１記載の方法において、前記新たなテープ転送速度は前記現在のテープ転送速度より遅いことを特徴とする方法。
【請求項９】
請求項１記載の方法において、前記新たなテープ転送速度は前記現在のテープ転送速度より速いことを特徴とする方法。
【請求項１０】
請求項１記載の方法において、
前記調整するステップには、
前記記録ヘッドが前記テープ上に位置付けられないように前記回転ドラムが位置決めされる時に前記速度調整を開始すること；及び
前記記録ヘッドが前記テープ上に位置付けられる前に前記速度調整を完了することを含んでいる方法。
【請求項１１】
請求項１記載の方法において、前記新たな速度にて前記磁気テープからトラックを読取ることを含んでいる方法。
【請求項１２】
請求項１記載の方法において、
前記データバッファが空のとき前記第一の所定数のダミートラックを書込み後、現在のテープ転送速度が零に減速されるようにテープ転送を停止することを含んでいる方法。
【請求項１３】
請求項１２記載の方法において、前記第一テープ転送速度は前記第二テープ転送速度と同一である方法。
【手続補正書】
【提出日】平成18年10月19日(2006.10.19)
【手続補正１】
【補正対象書類名】明細書
【補正対象項目名】特許請求の範囲
【補正方法】変更
【補正の内容】
【特許請求の範囲】
【請求項１】
予め規定されたラップ角度でドラムに巻かれたテープに定格テープ搬送記録速度でデータを記録するノントラッキングテープ保存サブシステムに使用されるヘリカル走査ドラムであって、
第１アジマス上に記録されたトラック上のデータを検知する、前記ドラムの円周上の第一読取ヘッド；及び
前記第１アジマス上に記録されたトラック上のデータを検知する、前記ドラムの円周上の第二読取ヘッドを備え、該第二読取ヘッドは、前記ドラムの一回転のうちに前記第一読取ヘッドに続いて、前記第１アジマス上に記録されたトラックをオーバースキャンするように前記ドラム上に位置付けられていることを特徴とするヘリカル走査ドラム。
【請求項２】
請求項１記載のドラムにおいて、前記第一読取ヘッド及び前記第二読取ヘッドは、それらがオーバーラップして前記テープ媒体の前記記録可能領域の少なくとも１００％の有効スキャン幅を形成するように前記ドラム上に位置していることを特徴とするドラム。
【請求項３】
請求項１記載のドラムにおいて、前記第一読取ヘッド及び前記第二読取ヘッドの位置は、トラッキング回路のないテープ装置上で凡そ前記定格テープ搬送記録速度でテープ媒体を読取るように前記トラックのオーバーラップを可能化することを特徴とするドラム。  
【請求項４】
請求項１記載のドラムにおいて、前記第一読取ヘッド及び前記第二読取ヘッドは、前記第１アジマス上に記録されたトラックの幅の合計からなるトラック対の幅の凡そ１００％よりも大きい有効スキャン領域を形成するように互いにオーバーラップしていることを特徴とするドラム。
【請求項５】
ノントラッキングテープ保存サブシステムで使用するためのヘリカル走査ドラムであって、
第１アジマス上に記録されたトラック上のデータを検知する、前記ドラムの円周上の第一読取ヘッド；及び
前記第１アジマス上に記録されたトラック上のデータを検知する、前記ドラムの円周上の第二読取ヘッドを備え、
前記第二読取ヘッドは、前記第一読取ヘッドから前記ドラムの周りで放射状に約１８０度のところに位置し、
前記第一読取ヘッドは、上端から下縁までのヘッド幅スパンが１５ミクロンであり、
前記第二読取ヘッドは、上端から下縁までのヘッド幅スパンが１５ミクロンであり、かつ前記第二読取ヘッドは、その上縁が前記第一読取ヘッドの下縁から０ミクロンのオフセットスペーシングを持つように前記ドラム上に位置していることを特徴とするドラム。
【請求項６】
請求項５記載のドラムにおいて、前記第一読取ヘッドと前記第二読取ヘッドのギャップ幅は、前記第１アジマス上に記録されたトラックから前記第１アジマス上に記録されたもう１本のトラックまでのスパンを許容しないことを特徴とするドラム。
【手続補正書】
【提出日】平成19年2月19日(2007.2.19)
【手続補正１】
【補正対象書類名】明細書
【補正対象項目名】特許請求の範囲
【補正方法】変更
【補正の内容】
【特許請求の範囲】
【請求項１】符号化信号を用いる通信システムの、所望の符号化信号及び１またはそれ以上の妨害信号を含む受信複合信号から所望の符号化信号を抽出する方法であって、
ａ）１つのフレームの少なくとも１つの妨害信号のビットレートを求め、
ｂ）少なくとも１つの妨害信号の求めたビットレートを引き続き受信されたフレームの少なくとも１つの妨害信号に割り当て、
ｃ）引き続き受信されたフレームの少なくとも１つの妨害信号を求めたビットレートを用いて求め、
ｄ）引き続き受信されたフレームの複合信号（１０８、１９８）から求めた少なくとも１つの妨害信号（１８２）を差し引くことにより、引き続き受信されたフレームの所望の符号化信号を抽出するステップより成る抽出方法。
【請求項２】ｅ）少なくとも１つの妨害信号の引き続き受信されたフレームを割り当てられたビットレートを用いて復調することにより、少なくとも１つの妨害信号をそれ以外の妨害信号から隔離するステップをさらに含む請求項１の抽出方法。
【請求項３】 ステップｅ）は、所望の信号を抽出するための複数の制御信号を発生させる請求項２の方法。
【請求項４】 複数の制御信号は、伝達フォーマット指示（ＴＦＩ）信号、送信電力制御（ＹＰＣ）信号、信号対雑音プラス妨害（ＳＮＩ）信号より成る請求項３の抽出方法。
【請求項５】 ステップｅ）は妨害除去により実行される請求項２乃至４のうち任意の１項の抽出方法。
【請求項６】 ステップｅ）は結合検波により実行される請求項２乃至４のうち任意の１項の抽出方法。
【請求項７】 ｆ）少なくとも１つの妨害信号の引き続き受信されたフレームの実際のビットレートを求め、
ｇ）少なくとも１つの妨害信号の引き続き受信されたフレームを実際のビットレートを用いて復調することにより、所望の信号を抽出するステップをさらに含む請求項２乃至４のうち任意の１項の抽出方法。
【請求項８】 ステップｇ）は、結合検波により実行される請求項７の抽出方法。
【請求項９】 ステップｇ）は、少なくとも１つのレイク受信機により実行される請求項７の抽出方法。
【請求項１０】 ステップｇ）は、所望の信号を抽出するための複数の制御信号を発生させる請求項７乃至９のうち任意の１項の方法。
【請求項１１】 複数の制御信号は、伝達フォーマット指示信号、送信電力制御信号、信号対雑音プラス妨害信号より成る請求項１０の抽出方法。
【請求項１２】 ステップａ）は、妨害信号のフレームの伝達フォーマットに指示信号を隔離し、該伝達フォーマット指示信号を用いて該フレームの実際のビットレートを求めるステップより成る請求項４または１１の抽出方法。
【請求項１３】符号化信号を用いる通信システムの、所望の符号化信号及び１またはそれ以上の妨害信号を含む受信複合信号から所望の符号化信号を抽出する装置であって、
ａ）１つのフレームの少なくとも１つの妨害信号のビットレートを求める第１の信号処理器と、
ｂ）少なくとも１つの妨害信号の求めたビットレートを引き続き受信されたフレームの少なくとも１つの妨害信号に割り当てる第２の信号処理器と、
ｃ）引き続き受信されたフレームの少なくとも１つの妨害信号を求めたビットレートを用いて求める第３の信号処理器と、
ｄ）引き続き受信されたフレームの複合信号（１０８、１９８）から求めた少なくとも１つの妨害信号（１８２）を差し引くことにより、引き続き受信されたフレームの所望の符号化信号を抽出する抽出手段（１９０）とより成る抽出装置。
【請求項１４】第１の信号処理器はレイク受信器（１１２−１１８）のバンクより成り、各レイク受信器（１１２−１１８）はそのレイク受信器に関連する符号を有する信号だけを復調し且つデスプレッディングし、各レイク受信器（１１２−１１８）は出力を制限する決定装置（１２２−１２８）へ送られる決定変数信号を出力し、決定装置（１２２−１２８）は再変調／再スプレッディングユニット（１３２―１３８）へ出力し、このユニットは再変調済み且つ再スプレッディング済みの信号をチャンネル再構成フィルタ（１４２−１４８）へ送り、フィルタ（１４２−１４８）はレイク受信器（１１２−１１８）からチャンネル予想信号（ＣＥ１）を受けて再構成済み信号を与え、この再構成済み信号は加算器（１５０）へ送られて信号（１５５）を与え、この信号はその後、個々の再構成済み信号（１８２−１８８）に対応する信号（１７２−１７８）を差し引く減算器（１６２−１６８）のバンクにおいて減算される請求項１３の方法。
【請求項１５】別のレイク受信器（２０２）とＴＦＩバッファ（２５４）を有し、この別のレイク受信器は減算器（１９０）からの信号を処理して、
ｉ．専用の物理的データチャンネル（ＤＰＤＣＨ）バッファ（２５２）へ送られる復調済み且つデスプレッディング済みの信号と、
ｉｉ．伝達フォーマット指示（ＴＦＩ）信号（２２２）とを与え、
ＴＦＩ信号はＴＦＩバッファにおいてバッファリングを施され、ビットレートが測定されてビットレート調整回路（２６４）へ送られる請求項１４の方法。
【請求項１６】 この別のレイク受信器（２０２）は伝達電力制御（ＴＰＣ）信号を与え、それにより送信器が適当な電力レベルで受信器へ信号を送信するのを可能にする請求項１５の方法。
【請求項１７】 別のレイク受信器（２０２）が、信号対雑音プラス妨害（ＳＮＩ）信号（２４２）を与える請求項１５の方法。
【請求項１８】 第１の信号処理器は第１の結合検波装置（４００）より成り、この結合検波装置は信号をそれらの信号符号に関連して処理することによりＴＦＩ信号を得る請求項１３の方法。
【請求項１９】 第１の信号処理器は、所望の信号を抽出するための複数の別の制御信号を与える請求項１８の方法。
【請求項２０】 複数の別の制御信号は、送信電力制御（ＴＰＣ）信号と、信号対雑音プラス妨害（ＳＮＩ）信号とより成る請求項１８の方法。
【手続補正書】
【提出日】平成19年5月10日(2007.5.10)
【手続補正１】
【補正対象書類名】明細書
【補正対象項目名】特許請求の範囲
【補正方法】変更
【補正の内容】
【特許請求の範囲】
【請求項１】  複数のドナー検体を獲得する段階；
各ドナー検体をレシピエントアレイの割り当てられた位置に設置する段階；
genosensor comparative genomic hybridization (gCGH)アレイを用いて、レシピエントアレイ上で検定するバイオマーカーを同定する段階；
各切片が、割り当てられた位置にある複数のドナー検体を含むようにしながら、レシピエントアレイから複数の切片を作製する段階；
バイオマーカーを用いて、各切片で異なる生物学的分析を行う段階；および
異なる切片上で対応する割り当て位置にある異なる生物学的分析結果を比較して、各割り当て位置の異なる生物学的分析結果の間に相関があるかどうかを決定する段階：
を含む、組織検体の平行分析方法。
【請求項２】  バイオマーカーがハイスループット遺伝分析によって選択される、請求項１記載の方法。
【請求項３】  バイオマーカーが染色体、染色体領域、遺伝子、遺伝子断片、または遺伝子座の数の変化を含む、請求項１記載の方法。
【請求項４】  結果の比較が、遺伝子変化のマーカーを調べることによって、遺伝子の変化があるかどうかを決定することを含む、請求項１記載の方法。
【請求項５】  変化が乳癌、肺癌、大腸癌、精巣癌、子宮内膜癌、または膀胱癌におけるPDGFBの増幅である、請求項４記載の方法。
【請求項６】  以下の段階を含む、組織検体において遺伝子増幅を分析する方法：
組織検体でどの遺伝子が増幅されているかを検出するgenosensor comparative genomic hybridization (gCGH)アレイを用いて、組織検体中の複数の遺伝子をスクリーニングする段階；および
核酸プローブを用いて組織アレイ中の複数の組織検体をスクリーニングして、その組織検体中でどの遺伝子が増幅されているかを検出する段階；
ここで、複数の遺伝子のスクリーニング結果は、複数の組織検体のスクリーニングのための核酸プローブの選択に用いられるか、複数の組織検体のスクリーニング結果は、どの遺伝子が増幅されているかを検出するアレイの選択に用いられる。
【請求項７】  gCGHアレイが、遺伝子増幅、またはこの増幅を反映する遺伝マーカーもしくは分子マーカーについてアッセイされる、請求項６記載の方法。
【請求項８】  gCGHアレイが、癌で増幅される標的遺伝子座を含むマイクロアレイである、請求項７記載の方法。
【請求項９】  ゲノム領域のgenosensor comparative genomic hybridization (gGCH)アレイを、既知の特定の遺伝障害を持つ細胞由来の核酸試料に露出し、核酸がハイブリダイズするゲノム領域をバイオマーカーとして同定する段階；
バイオマーカーにハイブリダイズする候補プローブを獲得する段階；
候補プローブを組織検体アレイに露出して、候補プローブのハイブリダイゼーションの統計的尺度を決定する段階；
ハイブリダイゼーションの統計的に有意な尺度を持つ候補プローブを選択する段階；および
選択された候補プローブを用いて遺伝障害について生体試料を分析する段階：
を含む、遺伝障害について生体試料を分析する方法。
【請求項１０】  生物試料の分析が診断情報を提供する、請求項９記載の方法。
【請求項１１】  生物試料の分析が予後情報を提供する、請求項９記載の方法。
【請求項１２】  検体中で血小板由来成長因子β(PDGFB)が増幅されているかどうかを決定する段階を含み、増幅が検体中に癌性細胞の存在を示す、検体中に癌性細胞の存在を検出する方法。
【請求項１３】  検体が肺組織、膀胱組織、および子宮内膜組織からなる群より選択される、請求項１２記載の方法。
【請求項１４】  核酸断片が1つまたは複数の候補ゲノム領域にハイブリダイズできる条件下で、genosensor comparative genomic hybridization (gCGH)アレイ中の複数のゲノム領域に、全体で既知の特定の遺伝障害を持つ細胞由来のDNAを表す核酸断片を含む核酸試験試料を接触させる段階；
候補ゲノム領域にハイブリダイズした核酸試験試料があればその量を測定し、正常DNAの対照試料と比較して、試験試料核酸のハイブリダイズした量が変化した候補ゲノム領域を選択する段階；
選択された候補ゲノム領域にハイブリダイズする核酸プローブを調製する段階；
プローブが組織試料中のヌクレオチド配列にハイブリダイズできる条件下で、プローブを複数の組織試料に接触させる段階；および
相当な数の組織試料にハイブリダイズするプローブに対応する候補ゲノム領域を、その特定の遺伝障害に伴うゲノム標的配列として選択する段階：
を含む、特定の遺伝障害に関連するゲノム標的配列を検出する方法。